(57)【要約】【課題】建物の梁などをコンクリートの打設により構築する際に必要な型枠の組み立てを容易にする。【解決手段】水平型枠板１０とこの水平型枠板１０の側辺下側に取り付けられた桟木１１とから成る水平型枠８と、前記桟木１１を介して当該水平型枠８を支持する水平バタ材１４と、この水平バタ材１４と水平型枠８とを連結する連結部材１とを備えた型枠構造であって、連結部材１は、水平バタ材１４を支持する水平部分２と、この水平部分２の両端から立ち上がって水平バタ材１４を挟む左右一対の垂直部分５ａ，５ｂと、当該垂直部分５ａ，５ｂの少なくとも一方の上端から連設されて水平型枠板１０と桟木１１との間に差し込まれる水平差し込み部分３とを有する構成。【選択図】図１
2007255031.tif 000002
【特許請求の範囲】
【請求項１】
水平型枠板とこの水平型枠板の側辺下側に取り付けられた桟木とから成る水平型枠と、前記桟木を介して当該水平型枠を支持する水平バタ材と、この水平バタ材と前記水平型枠とを連結する連結部材とを備えた型枠構造であって、前記連結部材は、前記水平バタ材を支持する水平部分と、この水平部分の両端から立ち上がって前記水平バタ材を挟む左右一対の垂直部分と、当該垂直部分の少なくとも一方の上端から連設されて前記水平型枠板と桟木との間に差し込まれる水平差し込み部分とを有する、型枠構造。
【請求項２】
前記連結部材の水平部分は、左右一対の垂直部分の下端から前記水平差し込み部分の突出方向とは反対方向へ水平に連設されている、請求項１に記載の型枠構造。
【請求項３】
前記連結部材の前記桟木に隣接する部分は、この桟木と当該桟木の外側に取り付けられた垂直型枠板との間に挟まれ、前記水平バタ材は、支持用支柱の上端に嵌装されて前記桟木の下側位置で当該水平バタ材に外嵌するバタ材支持金具によって支持され、前記連結部材の水平部分は、前記支持用支柱の上端に設けられた鍔部と前記水平バタ材との間に挟まれている、請求項２に記載の型枠構造。
【請求項４】
前記連結部材の左右一対の垂直部分は、その上端側でも連結部分により互いに一体化され、当該連結部分と前記水平部分との間で水平バタ材が貫通する矩形孔が形成されている、請求項１〜３の何れか１項に記載の型枠構造。
【請求項５】
前記連結部材は、１枚の矩形板の上側辺を折曲して前記水平差し込み部分が形成されると共に、当該矩形板の下側辺を折曲して前記水平部分が形成されたもので、この水平部分の上側に水平バタ材が貫通する前記矩形孔が形成されている、請求項４に記載の型枠構造。
【請求項６】
前記連結部材の少なくとも前記桟木に隣接する部分に、前記水平差し込み部分の突出方向と同一側に突出する補強用リブが形成されている、請求項１〜５の何れか１項に記載の型枠構造。
【請求項７】
前記連結部材の前記桟木に隣接する部分は、この桟木に釘止めされている、請求項１〜６の何れか１項に記載の型枠構造。
【発明の詳細な説明】
【技術分野】
【０００１】
本発明は、建物の梁やベランダをコンクリートの打設により構築する際に必要な型枠構造に関するものである。
【背景技術】
【０００２】
梁やベランダを構築する場合、梁の底面又はベランダの床部分を形成する水平型枠が使用される。この水平型枠は、水平型枠板とこの水平型枠板の側辺下側に取り付けられた桟木とから構成されるもので、水平バタ材を介して支持用支柱で所定高さに水平に支持される。この場合、前記水平バタ材の位置を決めるために当該水平バタ材と前記水平型枠とを連結する連結部材が併用されている。この連結部材としては、特許文献１に記載のように、水平バタ材に対し上向きに外嵌するもので、その上端には前記水平型枠の桟木の側面に釘止めする上向き延出部が設けられ、下部には前記支持用支柱の上端に内嵌する軸部が構成されたものであった。
【特許文献１】意匠登録第１１０１５５７号公報
【発明の開示】
【発明が解決しようとする課題】
【０００３】
上記のような従来の連結部材を併用する型枠構造では、水平型枠の桟木に対する連結部材の釘止め作業が必要不可欠のもので、組み立てに際して手間がかかるという問題点があった。
【課題を解決するための手段】
【０００４】
本発明は上記のような従来の問題点を解消し得る型枠構造を提供することを目的とするものであって、その手段を後述する実施形態の参照符号を付して示すと、水平型枠板１０，２０とこの水平型枠板１０，２０の側辺下側に取り付けられた桟木１１，２１とから成る水平型枠８，１９と、前記桟木１１，２１を介して当該水平型枠８，１９を支持する水平バタ材１４，２２と、この水平バタ材１４，２２と前記水平型枠８，１９とを連結する連結部材１とを備えた型枠構造であって、前記連結部材１は、前記水平バタ材１４，２２を支持する水平部分２と、この水平部分２の両端から立ち上がって前記水平バタ材１４，２２を挟む左右一対の垂直部分５ａ，５ｂと、当該垂直部分５ａ，５ｂの少なくとも一方の上端から連設されて前記水平型枠板１０，２０と桟木１１，２１との間に差し込まれる水平差し込み部分３とを有する構成となっている。
【０００５】
上記構成の本発明を実施するについて、具体的には請求項２に記載のように、前記連結部材１の水平部分２は、左右一対の垂直部分５ａ，５ｂの下端から前記水平差し込み部分３の突出方向とは反対方向へ水平に連設することができる。この請求項２に記載の型枠構造を梁構築用に使用する場合、請求項３に記載のように、前記連結部材１の前記桟木１１に隣接する部分は、この桟木１１と当該桟木１１の外側に取り付けられた垂直型枠板１２との間に挟まれるようにし、前記水平バタ材１４は、支持用支柱１５の上端に嵌装されて前記桟木１１の下側位置で当該水平バタ材１４に外嵌するバタ材支持金具１７によって支持し、前記連結部材１の水平部分２は、前記支持用支柱１５の上端に設けられた鍔部１５ａと前記水平バタ材１４との間に挟まれるように構成することができる。
【０００６】
又、請求項４に記載のように、前記連結部材１の左右一対の垂直部分５ａ，５ｂは、その上端側でも連結部分６により互いに一体化し、当該連結部分６と前記水平部分２との間で水平バタ材１４，２２が貫通する矩形孔４を形成させることができる。この場合、請求項５に記載のように、前記連結部材１は、１枚の矩形板の上側辺を折曲して前記水平差し込み部分３を形成すると共に、当該矩形板の下側辺を折曲して前記水平部分２を形成し、この水平部分２の上側に水平バタ材１４，２２が貫通する前記矩形孔４を形成することができる。
【０００７】
又、請求項６に記載のように、前記連結部材１の少なくとも前記桟木１１，２１に隣接する部分には、前記水平差し込み部分３の突出方向と同一側に突出する補強用リブ７ａ〜７ｃを形成することができる。
【０００８】
尚、本発明の型枠構造をベランダ構築用に使用するときは、請求項７に記載のように、前記連結部材１の前記桟木２１に隣接する部分は、この桟木２１に釘止めすることができる。
【発明の効果】
【０００９】
上記構成の本発明に係る型枠構造によれば、水平型枠における水平型枠板と桟木との間に連結部材上端の水平差し込み部分をハンマーでの打ち叩きなどにより差し込むことにより当該連結部材を水平型枠に取り付け、前記桟木から下方に突出している連結部材の左右一対の垂直部分間に水平型枠を支持させる水平バタ材を挿通させることにより、当該水平バタ材を連結部材下端の水平部分で支持する状態で水平型枠に連結することができる。梁構築用の型枠の場合には、前記水平型枠の左右両側辺に、梁の左右両側面を形成するための垂直型枠板の下端部が前記桟木の外側面に取り付けられるが、このように構成された梁型枠を地上で組み上げるとき、上記のように水平型枠の左右両側辺下側に連結部材を介して支持用の水平バタ材を一体に組み込み、これを吊り上げて所定位置にセットし、前記水平バタ材を支持用支柱で従来周知のように支持させることができるのであるが、本発明の構成では、前記水平バタ材を支持する連結部材を水平型枠の桟木に釘止めする必要がなくなり、水平バタ材を水平型枠下側に組み込む作業を簡単容易に行うことができる。
【００１０】
尚、請求項２に記載の構成によれば、連結部材の水平部分が水平バタ材から下方に大きく突出しないで、当該水平バタ材の下側に近接することになるので、当該水平バタ材を支持用支柱で支持するときに前記連結部材の水平部分が邪魔になることが少ない。特に本発明によって水平バタ材を備えた梁型枠を地上で組み上げるとき、組み上げた梁型枠を水平バタ材が下になる正規の向きで地面上に載置しても、連結部材の下端、即ち、接地する水平部分が荷重で屈曲したり破損するような恐れが無くなる。
【００１１】
又、本発明によって水平バタ材を備えた梁型枠を構成するとき、請求項３に記載の構成によれば、最終的に連結部材は水平型枠の桟木と垂直型枠板との間で挟持されるので、水平差し込み部分を桟木と水平型枠板との間に差し込んで連結部材を取り付ける構造でありながら、当該連結部材が不測に外れる恐れが皆無となり、安全に使用できる。又、桟木の側面に隣接する連結部材を併用する構造でありながら、当該桟木の真下位置で水平型枠（梁型枠）を支持用支柱で支持させることができ、安全性の高い梁型枠を構成できる。
【００１２】
又、請求項４に記載の構成によれば、連結部材の左右一対の垂直部分が下端側のみで水平部分でつながっている構造と比較して、連結部材の強度、延いては水平バタ材の支持強度を高めることができる。この場合、請求項５に記載の構成によれば、連結部材を１枚の矩形板の折り曲げと孔空け加工とで容易且つ安価に構成することができる。
【００１３】
更に、請求項６に記載の構成によれば、連結部材を薄板で構成する場合でも補強用リブにより必要な曲げ強度を持たせることができるのであるが、その補強用リブが水平差し込み部分の突出方向と同一側に突出しているので、水平差し込み部分を水平型枠の桟木と水平型枠板との間に差し込んでこの連結部材を取り付けたとき、補強用リブが桟木の側面に当接して、当該桟木の側面と連結部材との間に補強用リブの高さに相当する隙間が形成される。従って、型枠解体時に連結部材を取り外すとき、前記隙間にマイナスドライバーなど適当な工具を差し込んで連結部材を桟木から引き剥がすように操作することができ、連結部材の取り外し作業を容易に行える。
【００１４】
又、本発明はベランダ型枠を組み立てる場合にも活用できるが、この場合は、水平型枠における水平型枠板の上に垂直型枠板が配設されるので、梁型枠を組み立てる場合のように連結部材を桟木と垂直型枠板との間で挟む付けることができないが、請求項７に記載の構成によれば、連結部材が桟木に釘止めされるので、連結部材が不測に外れるのを防止して安全に使用することができる。
【発明を実施するための最良の形態】
【００１５】
以下に本発明の具体的実施例を添付図に基づいて説明すると、図１Ａ及び図２に示すように、連結部材１は１枚の金属製矩形板から成るもので、当該矩形板の下辺を一側方へ直角に折曲して形成された水平部分２と、当該矩形板の上辺を他側方（水平部分２とは反対側）へ直角に折曲して形成された水平差し込み部分３と、水平部分２と水平差し込み部分３との間の中間高さ位置と水平部分２との間に設けられた矩形孔４とを有し、この矩形孔４の形成により、当該矩形孔４を挟む左右一対の垂直部分５ａ，５ｂと両垂直部分５ａ，５ｂを矩形孔４の上側で連結一体化する連結部分６とが形成されている。又、連結部分６には左右巾方向３箇所に上下方向の補強用リブ７ａ〜７ｃが設けられている。これら補強用リブ７ａ〜７ｃは、水平差し込み部分３が突出する側と同一側へ突出する平坦な頂面を有するもので、その突出高さは連結部材１を構成する矩形板の板厚程度であり、左右両端の補強用リブ７ａ，７ｃは、垂直部分５ａ，５ｂの下端近傍位置まで延びている。
【００１６】
図１Ｂ及び図３は、上記構成の連結部材１を使用して構成された梁型枠の一側辺部分を示しており、梁型枠は梁底面を形成する水平型枠８と梁側面を形成する左右一対の垂直型枠９とから構成されるもので、水平型枠８は、水平型枠板１０の少なくとも左右両側辺の下側に規定サイズ（例えば３０ｍｍ×６０ｍｍ）の桟木１１を釘止めなどにより固着して構成され、垂直型枠９は、前記桟木１１の外側に釘止めなどにより固着される垂直型枠板１２の少なくとも上下両側辺の外側に規定サイズ（例えば３０ｍｍ×６０ｍｍ）の桟木１３を釘止めなどにより固着して構成されている。そしてこの梁型枠は、水平型枠８の下側に左右横方向に配置されて当該水平型枠８を支持する水平バタ材（例えば６０ｍｍ角の鋼管バタ材）１４を介して、床面上に垂直に配置された支持用支柱１５によって所定高さに支持される。このとき、必要に応じて水平バタ材１４と水平型枠板１０との間に桟木１１と同一高さの水平バタ材（例えば６０ｍｍ角の鋼管バタ材）１６が桟木１１と平行に配置される。支持用支柱１５による水平バタ材１４の支持には、従来周知の通り、バタ材支持金具１７が併用される。
【００１７】
上記構成の梁型枠に連結部材１を組み込む手順について説明すると、先ず図４に示すように、水平型枠８に垂直型枠９を組み付ける前に、水平型枠８の長さ方向の複数箇所（水平バタ材１４を配置する複数箇所）において、水平型枠８における水平型枠板１０の左右両側辺下側の桟木１１と当該水平型枠板１０との間に連結部材１の水平差し込み部分３を外側からハンマーで打ち叩くなど適当な方法で差し込み、連結部分６（補強用リブ７ａ〜７ｃの突出頂面）が桟木１１の外側面に当接する状態に連結部材１を水平型枠８の左右両側辺に取り付ける。このとき、連結部材１の矩形孔４は、当該矩形孔４の上側辺が桟木１１の下側面より僅か上に位置すると共に、当該桟木１１の下側で矩形孔４に前記水平バタ材（例えば６０ｍｍ角の鋼管バタ材）１４を無理なく挿通できるサイズに構成されている。又、矩形孔４に挿通された水平バタ材１４が完全に水平部分２の上面に載ることができるように、矩形孔４の下辺は水平部分２に若干入り込むように形成されている。
【００１８】
水平型枠８の水平バタ材１４を配置する箇所に左右一対の連結部材１を取り付けたならば、図５に示すように、連結部材１の連結部分６を水平型枠８の桟木１１と垂直型枠９の垂直型枠板１２との間で挟む状態に、水平型枠８の左右両側辺に垂直型枠９を組み付け、梁型枠を完成させる。而して連結部材１は、水平型枠８の桟木１１と垂直型枠９の垂直型枠板１２との間から左右一対の垂直部分５ａ，５ｂと水平部分２とが突出する状態（矩形孔４が突出する状態）に取り付けられたことになる。
【００１９】
上記のように連結部材１を組み込んで梁型枠を組み立てたならば、図６に示すように、水平型枠８の左右巾よりも適当に長い複数本の水平バタ材１４を、各水平バタ材配置箇所における左右一対の連結部材１の矩形孔４に挿通し、更に必要に応じて当該複数本の水平バタ材１４と水平型枠８の水平型枠板１０との間に当該水平型枠８の長さ方向に沿って水平バタ材１６を挿通した状態で、梁型枠を吊り上げて所定位置に搬送し、当該梁型枠に隣接する壁型枠やスラブ型枠に結合する。この梁型枠の吊り上げ搬送時には、各水平バタ材１４は左右一対の連結部材１によって支持され、水平型枠８の桟木１１や垂直型枠９の垂直型枠板１２及び桟木１３から僅かに下がった状態で、梁型枠と一体に吊り上げ搬送される。水平バタ材１６は複数本の水平バタ材１４で支持されて梁型枠と一体に吊り上げ搬送される。
【００２０】
この後、各水平バタ材１４の左右両端近傍２箇所ずつを支持用支柱１５で支持させるのであるが、支持用支柱１５は、図示していないが、従来周知のように長さを複数段に調整可能で且つ長さを微調整するねじジャッキ部を中間に備えており、上端には、中央に支柱内と連通する開口部を有する角形鍔部１５ａを備えている。而して、全体の長さを上記梁型枠における水平バタ材１４の下側面高さより若干短く調整されている支持用支柱１５の上端に、角形鍔部１５ａの中央開口部を利用してバタ材支持金具１７の下端軸部１７ａを嵌装し、当該バタ材支持金具１７の左右一対のバタ材挟持片１７ｂ，１７ｃを上記梁型枠における水平バタ材１４に下から上向きに外嵌させ、支持用支柱１５を床面上に垂直に起立させる。そして当該支持用支柱１５の長さを伸長させるようにねじジャッキ部を操作し、図１Ｂ及び図３に示すように、バタ材支持金具１７（左右一対のバタ材挟持片１７ｂ，１７ｃ）で水平バタ材１４を押し上げ、当該水平バタ材１４が水平型枠８の左右一対の桟木１１の下側面に当接して、梁型枠全体の重量が支持用支柱１５にかかる状態で梁型枠を所定高さに支持させる。このとき連結部材１の矩形孔４の下側辺、即ち、水平部分２に対して水平バタ材１４は若干浮き上がった状態になっている。
【００２１】
以上のようにして各水平バタ材１４の左右両端近傍２箇所ずつを支持する支持用支柱１５で梁型枠を支持させるのであるが、図１Ｂ及び図３に示すように、バタ材支持金具１７が水平型枠８の左右両側辺下側の桟木１１の真下に位置するように各支持用支柱１５を位置決めするのが望ましい。このように支持用支柱１５を配置することにより、梁型枠は安定的に支持用支柱１５で支持され、コンクリート打設時に水平バタ材１４に無理な曲げ力が作用することも防げるが、このように支持用支柱１５を配置することができるのは、連結部材１の水平部分２が水平差し込み部分３とは反対側に折曲されていて、水平バタ材１４の下側面に近接する状態となるためである。即ち、バタ材支持金具１７を水平型枠８の左右両側辺下側の桟木１１の真下に位置させて左右一対のバタ材挟持片１７ｂ，１７ｃを連結部材１の内側に隣接させても、当該連結部材１の水平部分２とバタ材支持金具１７とが干渉し合うことがなく、そしてこのとき当該連結部材１の水平部分２が、支持用支柱１５の上端角型鍔部１５ａと水平バタ材１４との間の隙間内、換言すれば、バタ材挟持片１７ｂ，１７ｃの水平バタ材１４を支持する水平部分の厚さ領域内に位置することになって、支持用支柱１５の上端角型鍔部１５ａと連結部材１の水平部分２とが干渉し合うことがないからである。
【００２２】
上記構成の連結部材１は、図７に示すように、ベランダ型枠の組み立てにも活用できる。即ち、ベランダスラブの基部を支える壁の外側面を形成するための壁型枠１８の上端にベランダスラブを形成するための水平型枠１９が連設されるが、この水平型枠１９の水平型枠板２０と当該水平型枠板２０の外側辺下側に取り付けられている桟木２１との間に、連結部材１の水平差し込み部分３を差し込んで当該連結部材１を取り付ける。而して、前記水平型枠板２０を支持する水平バタ材２２は、前記壁型枠１８に取り付けられたバタ受け２３に内端部が支持され、上端にバタ材持金具１７を備えた支持用支柱１５によって外端側が支持されるが、当該水平バタ材２２の外端側を前記連結部材１に挿通させておくことにより、当該水平バタ材２２の向きを前記バタ受け２３と連結部材１とで決めることができるのである。
【００２３】
尚、水平型枠１９の水平型枠板２０には、その外側辺近傍位置に、ベランダ手摺り壁の外側面を形成するための垂直型枠２４が立設される。この垂直型枠２４は、垂直型枠板２５の下端外側に取り付けられた桟木２６において前記水平型枠１９に釘止めなどにより取り付けられる。バタ受け２３は従来周知のもので、水平バタ材２２の内端部を上から嵌め込むことができる溝形部材２７の内端近傍位置から垂直上向きに取付板２８が連設されたもので、当該取付板２８を壁型枠１８の上端の桟木２９の垂直外側面に釘止めなどにより取り付けることにより、溝形部材２７が所定高さに水平に配置される。水平バタ材２２の内端部は、取付板２８より外側の溝形部材２７に内嵌支持される。
【００２４】
上記のように連結部材１は、ベランダ型枠の組み立てにも活用できるのであるが、この使用状態においては、連結部材１を桟木２１と垂直型枠２４の垂直型枠板２５との間で挟み付けることができないので、安全を期するために、連結部材１の桟木２１に当接する部分を釘３０により桟木２１に止着することができる。従って連結部材１には、桟木２１に当接する部分に釘孔を設けておくのが望ましい。
【００２５】
尚、連結部材１に設けた補強用リブ７ａ〜７ｃは本発明に必須のものではなく、連結部材１を構成する矩形板の板厚を適当に厚くすることにより補強用リブ７ａ〜７ｃを無くすことができる。又、水平差し込み部分３は、連結部分６の上側辺の中央部にのみ折曲連設することができる。更に図８に示すように、連結部材１に設けた連結部分６を無くし、上端にそれぞれ水平差し込み部分３を備えた左右一対の垂直部分５ａ，５ｂを水平部分２から独立的に立設することもできる。この構成によれば、水平差し込み部分３の差し込み作業が、水平型枠板１０，２０と桟木１１，２１とを止着する釘に比較的邪魔されずに容易に行うことができる。勿論、この図８に示すような構成を採用する場合は、全体を板材ではなく１本の線材の曲げ加工により構成することも可能である。
【図面の簡単な説明】
【００２６】
【図１】Ａ図は連結部材の斜視図、Ｂ図は当該連結部材を使用して組み立てられた梁型枠の要部を示す縦断正面図である。
【図２】Ａ図は連結部材の中央縦断側面図、Ｂ図は連結部材の横断平面図である。
【図３】図１Ｂの左側面図である。
【図４】Ａ図は連結部材を取り付けた水平型枠を示す縦断正面図、Ｂ図は同左側面図である。
【図５】図４Ａの水平型枠に垂直型枠を取り付けた状態を示す縦断正面図である。
【図６】Ａ図は支持用支柱の上端部と当該支持用支柱で支持する直前の梁型枠の要部とを示す縦断正面図、Ｂ図は同左側面図である。
【図７】連結部材を使用して組み立てられたベランダ型枠の要部を示す一部切欠き縦断正面図である。
【図８】連結部材の変形例を示す斜視図である。
【符号の説明】
【００２７】
１    連結部材
２    水平部分
３    水平差し込み部分
４    矩形孔
５ａ，５ｂ    左右一対の垂直部分
６    連結部分
７ａ〜７ｃ    補強用リブ
８，１９    水平型枠
９，２４    垂直型枠
１０，２０    水平型枠板
１１，１３，２１，２６，２９    桟木
１２，２５    垂直型枠板
１４，１６，２２    水平バタ材
１５    支持用支柱
１５ａ    支持用支柱上端の鍔部
１７    バタ材支持金具
１８    壁型枠
２３    バタ材受け
【図１】
2007255031.tif 000003
【図２】
2007255031.tif 000004
【図３】
2007255031.tif 000005
【図４】
2007255031.tif 000006
【図５】
2007255031.tif 000007
【図６】
2007255031.tif 000008
【図７】
2007255031.tif 000009
【図８】
2007255031.tif 000010